(57)【要約】【課題】ユーザーの利便性を向上させることができる画像処理システムを提供する。【解決手段】画像処理システム１０は、情報処理装置３４と、画像読取装置４４とを備える。情報処理装置３４は、ユーザーによる画像読取装置４４の読取設定に基づいて読取設定データを生成する。画像読取装置４４は、読取設定データに基づいて形成された二次元画像を読み取って二次元画像データを生成し、又は、文書を読み取って文書データを生成する読取部と、二次元画像データを解析して、解析結果を出力する解析部と、解析結果に基づいて、読取部の設定を行う設定部とを備える。【選択図】図２
2020048070.tif 000002
【特許請求の範囲】
【請求項１】
情報処理装置と、画像読取装置とを備える画像処理システムであって、
前記情報処理装置は、
ユーザーによる前記画像読取装置の読取設定に基づいて読取設定データを生成し、
前記画像読取装置は、
前記読取設定データに基づいて形成された二次元画像を読み取って二次元画像データを生成し、又は、文書を読み取って文書データを生成する読取部と、
前記二次元画像データを解析して、解析結果を出力する解析部と、
前記解析結果に基づいて、前記読取部の設定を行う設定部と
を備える、画像処理システム。
【請求項２】
前記二次元画像データは、
前記ユーザーによる前記文書データの送信設定に基づいて生成された送信設定データを更に含む、請求項１に記載の画像処理システム。
【請求項３】
前記画像読取装置は、
前記送信設定データに基づいて、前記文書データを送信先に送信する送信部を更に備える、請求項２に記載の画像処理システム。
【請求項４】
前記画像読取装置は、
第１の二次元画像データの解析結果が、その一つ前に読み取った第２の二次元画像データの解析結果と相違する場合、前記第１の二次元画像データの前記解析結果に基づいて、前記設定部に前記画像読取装置の前記設定を変更させる制御部を更に備える、請求項１から請求項３のいずれか一項に記載の画像処理システム。
【請求項５】
前記二次元画像は、ＱＲコードである、請求項１から請求項４のいずれか一項に記載の画像処理システム。
【請求項６】
二次元画像を読み取って二次元画像データを生成し、又は、文書を読み取って文書データを生成する読取部と、
前記二次元画像データを解析して、解析結果を出力する解析部と、
前記解析結果に基づいて、前記読取部の設定を行う設定部と
を備える、画像読取装置。
【請求項７】
前記二次元画像データは、
ユーザーによる前記文書データの送信設定に基づいて生成された送信設定データを含む、請求項６に記載の画像読取装置。
【請求項８】
前記送信設定データに基づいて、前記文書データを送信先に送信する送信部を更に備える、請求項７に記載の画像読取装置。
【請求項９】
第１の二次元画像データの解析結果が、その一つ前に読み取った第２の二次元画像データの解析結果と相違する場合、前記第１の二次元画像データの前記解析結果に基づいて、前記設定部に前記読取部の前記設定を変更させる制御部を更に備える、請求項６から請求項８のいずれか一項に記載の画像読取装置。
【請求項１０】
前記二次元画像は、ＱＲコードである、請求項６から請求項９のいずれか一項に記載の画像読取装置。
【発明の詳細な説明】
【技術分野】
【０００１】
本発明は、画像処理システム及び画像読取装置に関する。
【背景技術】
【０００２】
一般的に、画像読取装置、印字装置の機能に加えて、画像処理装置の機能を備えることにより、ユーザーの要求に応じて画像を処理する画像処理システムが知られている。
【０００３】
画像処理システムの一例として、特許文献１に記載の画像処理装置は、複数のバーコードと、各バーコードに対応したユーザー名とチェックボックスが設けられ、チェックボックスへのチェックの入力／非入力を選択することで、印刷物の画像情報が送信されるユーザー、又は送信されないユーザーを選択することができる。
【先行技術文献】
【特許文献】
【０００４】
【特許文献１】特開２００９−５５３４８号公報
【発明の概要】
【発明が解決しようとする課題】
【０００５】
しかしながら、特許文献１は、画像処理装置について、一次元バーコードを用いた送信設定を中心に開示されており、文書を読み取る際の読取設定については、詳しく開示されていない。
【０００６】
一次元バーコードは情報量が少ないため、文書送信時に、スタートボタンを操作する以外に、読取設定、送信設定などの操作を行わなければならない煩雑さがあった。また、複数のユーザーの文書が混在する場合であって、それらの文書データをまとめて送信したいとき、ユーザーは、文書のユーザーが変わる度、画像処理装置の読取設定、送信設定を行わなければならならない、という課題が解決できなかった。
【０００７】
本発明は、上記課題に鑑みてなされたものであり、ユーザーの利便性を向上させることができる画像処理システム及び画像読取装置を提供することを目的とする。
【課題を解決するための手段】
【０００８】
本発明の第１の観点によれば、画像処理システムは、情報処理装置と、画像読取装置とを備える。前記情報処理装置は、ユーザーによる前記画像読取装置の読取設定に基づいて読取設定データを生成する。前記画像読取装置は、前記読取設定データに基づいて形成された二次元画像を読み取って二次元画像データを生成し、又は、文書を読み取って文書データを生成する読取部と、前記二次元画像データを解析して、解析結果を出力する解析部と、前記解析結果に基づいて、前記読取部の設定を行う設定部とを備える。
【０００９】
本発明の第２の観点によれば、画像読取装置は、読取部と、解析部と、設定部とを備える。前記読取部は、二次元画像を読み取って二次元画像データを生成し、又は、文書を読み取って文書データを生成する。前記解析部は、前記二次元画像データを解析して、解析結果を出力する。前記設定部は、前記解析結果に基づいて、前記読取部の設定を行う。
【発明の効果】
【００１０】
本発明によれば、ユーザーの利便性を向上させることができる。
【図面の簡単な説明】
【００１１】
【図１】本発明の実施形態に係る画像処理システムを示す外観斜視図である。
【図２】本発明の実施形態に係る画像処理システムを示す機能ブロック図である。
【図３】本発明の実施形態に係る画像処理システムで用いられる二次元画像の具体例を示す図である。
【図４】本発明の実施形態に係る画像処理システムを構成する画像読取装置を示す詳細図である。
【図５】本発明の実施形態に係る画像処理システムにおいて、画像読取装置を構成する読取部を示す詳細図である。
【図６】本発明の実施形態に係る画像処理システムにおいて、文書の読み取り形態を示す図である。
【図７】本発明の実施形態に係る画像処理システムにおいて、記憶部に格納されたテーブルを示す図である。
【図８】本発明の実施形態に係る画像処理システムで用いられる二次元画像を形成するフローチャートである。
【図９】本発明の実施形態に係る画像処理システムの設定フローを説明するフローチャートである。
【図１０】本発明の実施形態に係る画像処理システムの設定フローを説明するフローチャートである。
【図１１】本発明の実施形態に係る画像処理システムの設定フローを説明するフローチャートである。
【図１２】本発明の実施形態に係る画像処理システムの設定フローを説明するフローチャートである。
【図１３】本発明の実施形態に係る画像処理システムの設定フローを説明するフローチャートである。
【図１４】本発明の実施形態に係る画像処理システムの設定フローを説明するフローチャートである。
【発明を実施するための形態】
【００１２】
以下、本発明の実施形態について、図面を参照しながら説明する。尚、図中、同一又は相当部分については同一の参照符号を付して説明を繰り返さない。
【００１３】
まず、図１を参照して、画像処理システム１０を説明する。図１は、本発明の実施形態に係る画像処理システムを示す外観斜視図である。
【００１４】
図１において、画像処理システム１０は、自動原稿給紙装置（ＡＤＦ：Ａｕｔｏ  Ｄｏｃｕｍｅｎｔ  Ｆｅｅｄｅｒ）１２と、本体２２を備える。
【００１５】
ＡＤＦ１２は、原稿給紙台１４を備える。原稿給紙台１４に載置された文書は、ＡＤＦ１２の搬送機構により、図示しない原稿読取面に搬送され、後述する画像読取装置に読み取られて、文書データに変換される。
【００１６】
本体２２は、画像処理システム１０の本体であり、内部に、図示しない原稿読取機構の他、印字機構として、原稿給紙機構、原稿搬送機構、帯電機構、露光機構、現像機構、転写機構、定着機構、及び排紙機構が設けられている。
【００１７】
本体２２は、コントロールパネル１６、操作ボタン１８、ディスプレー２０、給紙トレイ２４、排紙トレイ２６を備える。ユーザーは、コントロールパネル１６の操作ボタン１８で、読み取り濃度、文書サイズ、印刷条件を設定でき、ディスプレー２０に、操作ガイド、読取設定の状況が表示される。
【００１８】
給紙トレイ２４は、本体２２から引き出し可能であり、給紙トレイ２４に載置された用紙は、原稿給紙機構、原稿搬送機構により、転写機構に給紙される。
【００１９】
定着機構でトナーが定着された用紙は、排紙機構により、排紙トレイ２６に排紙される。
【００２０】
その他、画像処理システム１０には、後述する、Ｅメール送信部、制御部が設けられている。
【００２１】
図２は、本発明の実施形態に係る画像処理システム１０を示す機能ブロック図である。
【００２２】
図２に示した画像処理システム１０の重要な処理機能は、二次元画像データの生成処理機能と、二次元画像の形成処理機能及び文書画像データの分配発送処理機能である。画像処理システム１０は、制御部３２、情報処理装置３４、Ｉ／Ｆ部３６、記憶部３８、印字装置４０、送受信部４２、画像読取装置４４及びＥメール送信部４６を備える。
【００２３】
まず、二次元画像データの生成処理機能について説明する。
【００２４】
図２において、ユーザーが、パソコンから読み取り（スキャン）しようとする文書の読み取り解像度、白黒／カラーの種類の設定を含む読取設定、Ｅメールアドレスを含む送信設定を入力する。
【００２５】
読取設定の情報又は送信設定の情報は、サーバー３０に蓄積される。制御部３２は、送受信部４２を起動する。送受信部４２は、インターフェイス（Ｉ／Ｆ）部３６を介して読取設定の情報又は送信設定の情報を取得し、記憶部３８に格納する。
【００２６】
情報処理装置３４は、記憶部３８から読取設定の情報を読み出し、読取設定データを生成する。また、情報処理装置３４は、記憶部３８から送信設定の情報を読み出し、送信設定データを生成する。
【００２７】
以降、読取設定、読取設定データ、送信設定、及び送信設定データを特に区別する必要がない場合は、これらをまとめて「設定情報」と称する。
【００２８】
制御部３２は、読取設定データ、及び／又は送信設定データを情報処理装置３４から取得する。読取設定データ、及び／又は送信設定データは、設定情報として、Ｉ／Ｆ部３６を介してサーバー３０に蓄積されると共に、記憶部３８に記憶される。
【００２９】
画像処理システム１０は、有線／無線によりパソコン（図示せず）の外部機器と通信接続可能である。その場合、制御部３２の送受信部４２が、設定情報を外部機器からＩ／Ｆ部３６を介して受信し、直接、記憶部３８に記憶してもよい。また、画像処理システム１０は、外部のパソコン、サーバー３０その他の外部機器を合わせて画像処理システム１０としてもよい。
【００３０】
制御部３２は、情報処理装置３４を起動させる。情報処理装置３４は、記憶部３８から設定情報を取得する。
【００３１】
上記した設定情報の設定は、ユーザーが、図１のコントロールパネル１６の操作ボタン１８を操作し、入力することも可能である。ユーザーが設定情報を入力すると、図２において、Ｉ／Ｆ部３６を介して記憶部３８に記憶される。
【００３２】
制御部３２は、情報処理装置３４を起動させる。情報処理装置３４は、記憶部３８から設定情報を取得する。
【００３３】
情報処理装置３４は、記憶部３８から読取設定の情報を読み出し、読取設定データを生成する。また、情報処理装置３４は、記憶部３８から送信設定の情報を読み出し、送信設定データを生成する。
【００３４】
制御部３２は、読取設定データ、及び／又は送信設定データを情報処理装置３４から取得し、設定情報として記憶部３８に記憶する。
【００３５】
次に、情報処理装置３４は、設定情報に従って、ＱＲコード（登録商標）の二次元画像を形成する基となる二次元画像データを生成し、画像処理システム１０の内部、又は外部に出力する。
【００３６】
以下、図２を参照して、二次元画像の形成処理機能を説明する。
【００３７】
図２において、情報処理装置３４が生成した二次元画像データは、既知のルールに従って、印字装置４０により二次元画像に変換され、印字され得る。
【００３８】
制御部３２は、印字装置４０を起動する。印字装置４０は、二次元画像データを基に二次元画像を形成し、用紙に印字して出力する。
【００３９】
他の方法として、二次元画像データは、外部の印字装置（図示せず）により二次元画像に変換され、外部の印字装置により印字され得る。
【００４０】
その場合、制御部３２は、送受信部４２を起動する。送受信部４２は、情報処理装置３４が生成した二次元画像データを、外部の印字装置に送信する。すなわち、送受信部４２は、二次元画像データをＩ／Ｆ部３６を介して、有線／無線によりサーバー３０に出力する。サーバー３０は、二次元画像データを外部の印字装置に送信する。外部の印字装置は、二次元画像データを二次元画像に変換し、用紙に印字出力する。
【００４１】
次に、図３を参照して、二次元画像４８の具体例を説明する。図３は、本発明の実施形態に係る画像処理システム１０で用いられる二次元画像４８の具体例を示す図である。
【００４２】
印字装置４０は、情報処理装置３４が生成した二次元画像データを二次元画像４８に変換する。印字装置４０は、図３に示すような、一般にＱＲコードと呼ばれる二次元画像４８を、用紙４７に印字出力する。二次元画像４８は、外部の印字装置により印字されてもよい。
【００４３】
図３に例示したＱＲコードの二次元画像４８は、従来のバーコードと比べて大量の情報を保持できる。このため、二次元画像４８に、読み取り解像度情報、読み取り品質情報、用紙４７の大きさ、白黒／カラー情報の読取設定データを含ませることができる。更に、二次元画像４８に、Ｅメールアドレスその他の送信設定データを含ませることができる。
【００４４】
尚、図３に例示するように、用紙４７には、ＱＲコードの二次元画像４８に併せて、二次元画像４８が保持する設定項目４９を文字として併記することができる。
【００４５】
これにより、ユーザーが文書の読み取りを行う際に、二次元画像４８が印字された用紙４７が、その文書に対応した正しい表紙であることを確認することができる。
【００４６】
図３の二次元画像４８は、文書の表紙として用紙４７に印字され、１ページの文書の上に重ね合わされる。また、二次元画像４８は、複数ページからなる文書の一番上（先頭ページ）に重ね合わされる。図２において、二次元画像４８が印字された用紙４７が、画像読取装置４４により読み取られる（スキャンされる、スキャニングされる）。
【００４７】
具体的には、図１において、表紙と文書が、セットでＡＤＦ１２の原稿給紙台１４に載置される。最初に、二次元画像４８が印字された表紙がＡＤＦ１２により給紙搬送され、画像読取装置４４により読み取られる。二次元画像４８は、二次元画像データに変換されて、記憶部３８に記憶される。
【００４８】
画像読取装置４４は、二次元画像データを記憶部３８から読み出す。画像読取装置４４は、後述するように、解析部と設定部を有する。解析部は、二次元画像データを解析して、解析結果を出力する。設定部は、解析結果に基づいて、読み取り解像度情報、読み取り品質情報、用紙４７の大きさ、白黒／カラー情報の設定情報を取得し、画像読取装置４４の読取設定を行う。設定部は、更に、解析結果に基づいて、Ｅメールアドレスの送信設定を行う。
【００４９】
次に、図２に戻り、画像読取装置４４は、文書の画像を読み取り、文書データに変換する。文書データは、二次元画像データと紐付けられて、記憶部３８に記憶される。
【００５０】
制御部３２は、Ｅメール送信部４６を起動する。Ｅメール送信部４６は、記憶部３８から文書データを読み出す。Ｅメール送信部４６は、Ｅメールに文書データを添付して、Ｅメールアドレスに送信する。尚、画像読取装置４４は、記憶部３８とＥメール送信部４６を含んで画像読取装置４４としてもよい。
【００５１】
以上のように、ユーザーは、文書を読み取る際に、二次元画像４８が印字された用紙４７を表紙として読み取らせる。これにより、ユーザーは、スタートボタンを押すだけで、読取設定、読取処理、送信設定、送信処理の全ての処理を完結できる。このため、従来のように、ユーザーが、スタートボタンを押すことに加えて、読み取り解像度を設定し、Ｅメールアドレスを入力するという煩雑な作業は不要である。
【００５２】
また、複数の文書を読み取る際にも、ユーザーが、それぞれの文書に対応する二次元画像４８が印字された表紙を、対応する文書の先頭ページに添付して読み取らせる。これにより、ユーザーが文書ごとに読取設定、送信設定を変更する必要がなくなる。このため、時間の短縮が図れ、画像処理システム１０を占有する時間も短縮される。また、操作ボタン１８（図１）の誤操作による誤送信を減少させることができる。複数の文書を読み取る態様については、後述する。
【００５３】
以下、図２で説明した画像読取装置４４の詳細を説明する。図４は、本発明の実施形態に係る画像処理システム１０の画像読取装置４４を示す詳細図である。
【００５４】
図４において、画像読取装置４４は、読取部５０、解析部５２、及び設定部５４により構成されている。
【００５５】
読取部５０は、図示しない、後述するスキャナーから構成されている。ＡＤＦ１２により搬送された表紙と文書は、読取部５０の図示しない照明部により光を照射される。照射された光の反射光から、二次元画像データ、及び文書データが生成される。
【００５６】
解析部５２は、二次元画像データを解析し、解析結果として、読み取り解像度情報、読み取り品質情報、用紙４７の大きさ、白黒／カラー情報の読取設定データを取得する。また、併せて、解析部５２は、解析結果として、文書データの送信設定データであるＥメールアドレスを取得する。
【００５７】
設定部５４は、解析結果を基に、後述するように、画像読取装置４４の読取設定と、送信設定を行う。
【００５８】
以下、図４で説明した画像読取装置４４の読取部５０の詳細を、図５を用いて説明する。
【００５９】
図５は、本発明の実施形態に係る画像処理システム１０において、画像読取装置４４を構成する読取部５０を示す詳細図である。
【００６０】
図５において、画像読取装置４４の読取部５０は、スキャナー６０、二次元画像データ生成部６２、及び文書データ生成部６４を備える。
【００６１】
スキャナー６０は、図示しない照明部と、光電変換部を備える。二次元画像４８が印字された表紙は、照明部により光を照射され、光電変換部が反射光を光電変換して光情報を出力する。二次元画像データ生成部６２は、光情報に基づいて、二次元画像データを生成する。文書も同様に、スキャナー６０の照明部により光を照射され、反射光が光電変換される。文書データ生成部６４は、光電変換された光情報を基に、文書データを生成する。
【００６２】
次に、複数の文書Ｘ、Ｙ、及びＺを読み取る場合における、画像読取装置４４の設定、及び設定変更の詳細について、図４、図６、及び図７を用いて説明する。
【００６３】
図６は、本発明の実施形態に係る画像処理システム１０において、文書Ｘ、Ｙ、及びＺの読み取り形態を示す図である。
【００６４】
図７は、本発明の実施形態に係る画像処理システム１０において、記憶部３８に格納されたテーブル７０の一例を示す図である。
【００６５】
まず、図６において、文書Ｘのみを読み取る場合について説明する。文書Ｘには、図３で説明した二次元画像４８が印字された表紙Ｘが、文書Ｘの先頭ページに添付される。
【００６６】
図１において、ユーザーが、表紙Ｘを一番上に添付した文書ＸをＡＤＦ１２の原稿給紙台１４に載置し、図示しないスタートボタンを押下する。ＡＤＦ１２は、まず表紙Ｘのみを搬送し、図４の画像読取装置４４の読取部５０が、表紙Ｘの二次元画像４８を読み取る。二次元画像４８を読み取った情報は、二次元画像データに変換されて、図２の記憶部３８に記憶される。
【００６７】
図４の解析部５２は、記憶部３８から二次元画像データを読み出し、読み取り解像度情報、読み取り品質情報、用紙４７の大きさ、白黒／カラー情報の読取設定データを取得する。併せて、解析部５２は、文書データの送信先を表すＥメールアドレスの送信設定データを取得する。解析部５２は、読取設定データと、送信設定データを記憶部３８に記憶する。
【００６８】
記憶部３８には、図７に示すように、テーブル７０が設けられている。図４の制御部３２は、解析部５２による二次元画像データの解析結果に基づき、文書Ｘは、白黒で、Ｂ５の大きさであることの読取設定データと、Ｅメールアドレスの送信設定データを、記憶部３８のテーブル７０に格納する。
【００６９】
設定部５４は、テーブル７０に記憶された読取設定データと送信設定データに基づいて、まず、画像読取装置４４の読取設定を行う。
【００７０】
読取設定が完了すると、ＡＤＦ１２は、文書Ｘを搬送し、図４の画像読取装置４４の読取部５０が、文書Ｘを読み取る。読み取られた文書Ｘは、文書データに変換されて、図２の記憶部３８に記憶される。
【００７１】
図２において、制御部３２は、Ｅメール送信部４６を起動し、送信設定を行う。Ｅメール送信部４６は、文書データを記憶部３８から読み出し、Ｅメールに文書データを添付する。Ｅメール送信部４６は、二次元画像データから解析された送信先のＥメールアドレスにＥメールを送信する。
【００７２】
ここで、本願全体において、電子通信媒体はＥメールに限られず、文書データを送信可能な全ての電子通信媒体を含むものとする。
【００７３】
次に、複数の文書Ｘ、Ｙ、及びＺを一度に読み取る場合について、図６、図７を参照しながら説明する。
【００７４】
図６において、二次元画像４８が印字された表紙Ｘ（図３）が、文書Ｘの先頭ページに添付される。二次元画像４８が印字された表紙Ｙが、文書Ｙの一番上に添付される。二次元画像４８が印字された表紙Ｚが、文書Ｚの一番上に添付される。
【００７５】
ユーザーが、図６のように、表紙Ｘ、文書Ｘ、表紙Ｙ、文書Ｙ、表紙Ｚ、及び文書Ｚの順に束ねた文書を、図１のＡＤＦ１２の原稿給紙台１４に載置し、図示しないスタートボタンを押下する。
【００７６】
ＡＤＦ１２は、まず表紙Ｘのみを搬送し、図４の画像読取装置４４の読取部５０が、表紙Ｘの二次元画像４８を読み取る。二次元画像４８を読み取った情報は、二次元画像データに変換されて、図２の記憶部３８に記憶される。
【００７７】
図４の解析部５２は、記憶部３８から二次元画像データを読み出し、読み取り解像度情報、読み取り品質情報、用紙４７の大きさ、白黒／カラー情報の読取設定データを取得する。併せて、解析部５２は、文書データの送信先を表すＥメールアドレスの送信設定データを取得する。解析部５２は、読取設定データと、送信設定データを記憶部３８に記憶する。
【００７８】
記憶部３８には、図７に示すように、テーブル７０が設けられている。図４の制御部３２は、解析部５２による二次元画像データの解析結果に基づき、文書Ｘは、白黒で、Ｂ５の大きさであることの読取設定データと、Ｅメールアドレスの送信設定データを、記憶部３８のテーブル７０に格納する。
【００７９】
設定部５４は、テーブル７０に記憶された読取設定データと送信設定データに基づいて、まず、画像読取装置４４の読取設定を行う。
【００８０】
読取設定が完了すると、ＡＤＦ１２は、文書Ｘを搬送し、図４の画像読取装置４４の読取部５０が、文書Ｘを読み取る。読み取られた文書Ｘは、文書データに変換されて、図２の記憶部３８に記憶される。
【００８１】
図２において、制御部３２は、Ｅメール送信部４６を起動し、送信設定を行う。Ｅメール送信部４６は、文書データを記憶部３８から読み出し、Ｅメールに文書データを添付する。Ｅメール送信部４６は、二次元画像データから解析された送信先のＥメールアドレスにＥメールを送信する。
【００８２】
続けて、図１において、ＡＤＦ１２は表紙Ｙのみを搬送し、図４の画像読取装置４４の読取部５０が、表紙Ｙの二次元画像４８を読み取る。二次元画像４８を読み取った情報は、二次元画像データに変換されて、図２の記憶部３８に記憶される。
【００８３】
図４の解析部５２は、記憶部３８から二次元画像データを読み出し、読み取り解像度情報、読み取り品質情報、用紙４７の大きさ、白黒／カラー情報の読取設定データを取得する。併せて、解析部５２は、文書データの送信先を表すＥメールアドレスの送信設定データを取得する。解析部５２は、読取設定データと、送信設定データを記憶部３８に記憶する。解析部５２は、読取設定データと、送信設定データを、記憶部３８のテーブル７０における、文書Ｘの次段の情報として格納する。
【００８４】
この場合、表紙Ｙの解析結果から、文書Ｙに対する画像読取装置４４の設定情報は、文書Ｘに対する設定情報と全て同じである。
【００８５】
設定部５４は、文書Ｘと文書Ｙの設定情報が全て同じであることを確認し、画像読取装置４４の読取設定及び送信設定を、文書Ｘの場合から変更しない。
【００８６】
続いて、ＡＤＦ１２は、文書Ｙを搬送し、図４の画像読取装置４４の読取部５０が、文書Ｙを読み取る。読み取られた文書Ｙは、文書データに変換されて、図２の記憶部３８に記憶される。
【００８７】
図２において、制御部３２は、Ｅメール送信部４６を起動し、送信設定を行う。Ｅメール送信部４６は、文書データを記憶部３８から読み出し、Ｅメールに文書データを添付する。Ｅメール送信部４６は、二次元画像データから解析された送信先のＥメールアドレスにＥメールを送信する。
【００８８】
続けて、図１において、ＡＤＦ１２は、表紙Ｚのみを搬送し、図４の画像読取装置４４の読取部５０が、表紙Ｚの二次元画像４８を読み取る。二次元画像４８を読み取った情報は、二次元画像データに変換されて、図２の記憶部３８に記憶される。
【００８９】
図４の解析部５２は、記憶部３８から二次元画像データを読み出し、読み取り解像度情報、読み取り品質情報、用紙４７の大きさ、白黒／カラー情報の読取設定データを取得する。併せて、解析部５２は、文書データの送信先を表すＥメールアドレスの送信設定データを取得する。解析部５２は、読取設定データと、送信設定データを記憶部３８に記憶する。解析部５２は、読取設定データと、送信設定データを、記憶部３８のテーブル７０における、文書Ｙの次段の情報として格納する。
【００９０】
この場合、表紙Ｚの解析結果から、文書Ｚに対する画像読取装置４４の設定情報は、文書Ｙに対する画像読取装置４４の設定情報と異なる。
【００９１】
設定部５４は、文書Ｙと文書Ｚの設定情報が異なることを確認し、画像読取装置４４の読取設定、及び／又は送信設定を、文書Ｚの読取設定データ又は送信設定データに基づいて変更する。
【００９２】
すなわち、図５の読取部５０が生成した表紙Ｚの二次元画像データ（第１の二次元画像データ）の、解析部５２による解析結果は、その一つ前に読み取った表紙Ｙの二次元画像データ（第２の二次元画像データ）の解析結果と相違する。この場合、制御部３２は、第１の二次元画像データの解析結果に基づいて、設定部５４に画像読取装置４４の読取設定又は送信設定を変更させる。
【００９３】
続いて、ＡＤＦ１２は、文書Ｚを搬送し、図４の画像読取装置４４の読取部５０が、文書Ｚを変更後の読取設定で読み取る。読み取られた文書Ｚは、文書データに変換されて、図２の記憶部３８に記憶される。
【００９４】
図２において、制御部３２は、Ｅメール送信部４６を起動し、送信設定を行う。Ｅメール送信部４６は、文書データを記憶部３８から読み出し、Ｅメールに文書データを添付する。Ｅメール送信部４６は、二次元画像データから解析された送信先のＥメールアドレスにＥメールを送信する。
【００９５】
次に、二次元画像４８を形成するフローを、フローチャートを用いて説明する。
【００９６】
図８は、本発明の実施形態に係る画像処理システム１０において用いられる二次元画像４８を形成するフローチャートである。
【００９７】
図８において、ユーザーが、パソコン、又はコントロールパネル１６の操作ボタン１８により、文書Ｘ、Ｙ、及びＺの読み取り解像度、白黒／カラーの種類の設定を含む読取設定、Ｅメールアドレスを含む送信設定を入力する（ステップＳ１０）。
【００９８】
ユーザーが、パソコンにより読取設定、及び／又は送信設定を行った場合、読取設定の情報又は送信設定の情報は、サーバー３０に蓄積される。制御部３２は、送受信部４２を起動する。送受信部４２は、インターフェイス（Ｉ／Ｆ）部３６を介して読取設定の情報又は送信設定の情報を取得し、記憶部３８に格納する。
【００９９】
情報処理装置３４は、記憶部３８から読取設定の情報を読み出し、読取設定データを生成する（ステップＳ１２）。
【０１００】
送受信部４２は、読取設定データを送信し、読取設定データが、Ｉ／Ｆ部３６を介してサーバー３０に蓄積される（ステップＳ１４）。
【０１０１】
制御部３２は、送受信部４２がサーバー３０からＩ／Ｆ部３６を介して受信した読取設定データの設定情報を、再度、記憶部３８に記憶する（ステップＳ１６）。
【０１０２】
次に、ユーザーが、Ｅメールアドレスの送信設定を入力する（ステップＳ１８）。
【０１０３】
情報処理装置３４は、送信設定に基づいて送信設定データを生成する（ステップＳ２０）。
【０１０４】
送受信部４２は、送信設定データを送信し、送信設定データが、Ｉ／Ｆ部３６を介してサーバー３０に蓄積される（ステップＳ２２）。
【０１０５】
制御部３２は、送信設定データの設定情報を、記憶部３８に記憶する（ステップＳ２４）。
【０１０６】
情報処理装置３４は、設定情報に従って、ＱＲコードの二次元画像４８を形成する基となる二次元画像データを生成する（ステップＳ２６）。
【０１０７】
制御部３２は、印字装置４０を起動する。印字装置４０は、二次元画像データを基に二次元画像４８を形成し、用紙４７に印字して出力する（ステップＳ２８）。
【０１０８】
以下、一つの文書を読み取る場合の画像処理システム１０の処理フローを、フローチャートを用いて説明する。
【０１０９】
図９は、本発明の実施形態に係る画像処理システム１０の設定フローを説明するフローチャートである。
【０１１０】
二次元画像４８は、文書Ｘの表紙Ｘとして、用紙４７に印字され、１ページの文書Ｘの上に重ね合わされる。又は、二次元画像４８は、複数ページからなる文書Ｘの一番上（先頭ページ）に重ね合わされ、画像読取装置４４により読み取られる（ステップＳ５０）。
【０１１１】
表紙Ｘと文書Ｘが、セットでＡＤＦ１２の原稿給紙台１４に載置される。最初に、二次元画像４８が印字された表紙Ｘが、ＡＤＦ１２により給紙搬送される。表紙Ｘの二次元画像４８は、画像読取装置４４により読み取られ、二次元画像データが生成される（ステップＳ５２）。
【０１１２】
二次元画像データは記憶部３８に記憶される（ステップＳ５４）。
【０１１３】
解析部５２は、二次元画像データを解析して、解析結果を出力する（ステップＳ５６）。
【０１１４】
設定部５４は、解析結果に基づいて、読み取り解像度情報、読み取り品質情報、用紙４７の大きさ、白黒／カラー情報の読取設定データを取得する。設定部５４は、また、解析結果に基づいて、送信設定データを取得する。設定部５４は、読取設定データ及び送信設定データに基づき、画像読取装置４４の読取設定とＥメール送信部４６の送信設定を行う（ステップＳ５８）。
【０１１５】
スキャナー６０は、文書Ｘを１ページ目から順次読み取る。文書データ生成部６４は、文書データを生成し、図２の記憶部３８に記憶する（ステップＳ６０）。
【０１１６】
Ｅメール送信部４６は、文書データを記憶部３８から読み出し、Ｅメールに文書データを添付する。Ｅメール送信部４６は、二次元画像データから解析された送信先のＥメールアドレスにＥメールを送信する（ステップＳ６２）。
【０１１７】
次に、複数の文書Ｘ、Ｙ、及びＺを一度に読み取る場合の画像処理システム１０の処理フローを、フローチャートを用いて説明する。
【０１１８】
図１０から図１４は、本発明の実施形態に係る画像処理システム１０の設定フローを説明するフローチャートである。
【０１１９】
図１０において、二次元画像４８は、文書の表紙として用紙４７に印字され、複数ページからなる文書の一番上に重ね合わされ、画像読取装置４４により読み取られる（ステップＳ７０）。
【０１２０】
図６に示すように、表紙Ｘと文書Ｘ、表紙Ｙと文書Ｙ、及び表紙Ｚと文書Ｚが、上から順にセットでＡＤＦ１２の原稿給紙台１４に載置される。最初に、二次元画像４８が印字された表紙Ｘが、ＡＤＦ１２により給紙搬送される。表紙Ｘの二次元画像４８は、画像読取装置４４により読み取られ、二次元画像データが生成される（ステップＳ７２）。
【０１２１】
二次元画像データは記憶部３８に記憶される（ステップＳ７４）。
【０１２２】
解析部５２は、二次元画像データを解析して、解析結果を出力する（ステップＳ７６）。
【０１２３】
設定部５４は、解析結果に基づいて、読み取り解像度情報、読み取り品質情報、用紙４７の大きさ、白黒／カラー情報の読取設定データを取得する。設定部５４は、また、解析結果に基づいて、送信設定データを取得する。設定部５４は、読取設定データ及び送信設定データに基づき、画像読取装置４４の読取設定とＥメール送信部４６の送信設定を行う（ステップＳ７８）。ステップＳ７８は、Ａに進み、図１１のステップＳ８０に進む。
【０１２４】
図１１において、スキャナー６０は、文書Ｘを１ページ目から順次読み取る。文書データ生成部６４は、文書データを生成し、図２の記憶部３８に記憶する（ステップＳ８０）。
【０１２５】
制御部３２は、文書Ｘの読み取りが終了したか判断する（ステップＳ８２）。Ｎｏの場合、ステップＳ８０に戻り、文書Ｘの読み取りを継続する。Ｙｅｓの場合、ステップＳ８４に進む。
【０１２６】
Ｅメール送信部４６は、文書データを記憶部３８から読み出し、Ｅメールに文書データを添付する。Ｅメール送信部４６は、二次元画像データから解析された送信先のＥメールアドレスにＥメールを送信する（ステップＳ８４）。
【０１２７】
制御部３２は、次の文書が存在するか、判断する（ステップＳ８６）。Ｎｏの場合、読み取り作業を終了する。Ｙｅｓの場合、Ｂに進み、図１２のステップＳ８８に進む。
【０１２８】
図１２において、画像読取装置４４が、二次元画像４８が印字された表紙Ｙを読み取る（ステップＳ８８）。
【０１２９】
二次元画像４８は、画像読取装置４４により読み取られ、二次元画像データが生成される（ステップＳ９０）。
【０１３０】
二次元画像データは記憶部３８に記憶される（ステップＳ９２）。
【０１３１】
解析部５２は、二次元画像データを解析して、解析結果を出力する（ステップＳ９４）。ステップＳ９４は、Ｃに進み、図１３のステップＳ９６に進む。
【０１３２】
図１３において、制御部３２は、今回読み取った表紙Ｙの二次元画像データ（第１の二次元画像データ）の解析結果が、その一つ前に読み取った表紙Ｘの二次元画像データ（第２の二次元画像データ）の解析結果と相違するか、判断する（ステップＳ９６）。
【０１３３】
この場合、表紙Ｘと表紙Ｙの二次元画像４８は同じものであるので、ステップＳ９６は、Ｙｅｓにのみ進む。
【０１３４】
第１の二次元画像データが第２の二次元画像データと同じであると判断される場合（Ｙｅｓ）、ステップＳ９８に進む。
【０１３５】
制御部３２は、画像読取装置４４の設定を変更せず、ステップＳ１００に進む（ステップＳ９８）。
【０１３６】
スキャナー６０が、文書Ｘの設定を維持して、文書Ｙを１ページ目から順次読み取る。文書データ生成部６４は、文書データを生成し、図２の記憶部３８に記憶する（ステップＳ１００）。
【０１３７】
制御部３２は、文書Ｙの読み取りが終了したか判断する（ステップＳ１０２）。Ｎｏの場合、ステップＳ１００に戻り、文書Ｙの読み取りを継続する。Ｙｅｓの場合、ステップＳ１０４に進む。
【０１３８】
Ｅメール送信部４６は、文書データを記憶部３８から読み出し、Ｅメールに文書データを添付する。Ｅメール送信部４６は、二次元画像データから解析された送信先のＥメールアドレスにＥメールを送信する（ステップＳ１０４）。
【０１３９】
制御部３２は、次の文書が存在するか、判断する（ステップＳ１０６）。Ｎｏの場合、読み取り作業を終了する。Ｙｅｓの場合、Ｂに進み、図１２のステップＳ８８に進み、次の文書の読み取りを継続する。
【０１４０】
ステップＳ１０６がＹｅｓの場合、図１２のステップＳ８８に戻り、画像読取装置４４が、二次元画像４８が印字された表紙Ｚを読み取る（ステップＳ８８）。
【０１４１】
二次元画像４８は、画像読取装置４４により読み取られ、二次元画像データが生成される（ステップＳ９０）。
【０１４２】
二次元画像データは記憶部３８に記憶される（ステップＳ９２）。
【０１４３】
解析部５２は、二次元画像データを解析して、解析結果を出力する（ステップＳ９４）。ステップＳ９４は、Ｃに進み、図１３のステップＳ９６に進む。
【０１４４】
図１３において、制御部３２は、今回読み取った表紙Ｚの二次元画像データ（第１の二次元画像データ）の解析結果が、その一つ前に読み取った表紙Ｙの二次元画像データ（第２の二次元画像データ）の解析結果と相違するか、判断する（ステップＳ９６）。
【０１４５】
この場合、表紙Ｘと表紙Ｙの二次元画像４８は相違するので、ステップＳ９６は、Ｎｏであり、図１４のＤに進む。
【０１４６】
第１の二次元画像データと第２の二次元画像データとが相違すると判断される場合（Ｎｏ）、ステップＳ１０８に進む。
【０１４７】
図１４において、設定部５４は、解析結果に基づいて、第１の二次元画像データに基づく読み取り解像度情報、読み取り品質情報、用紙４７の大きさ、白黒／カラー情報の読取設定データを取得し、画像読取装置４４の読取設定を変更する。又は、第１の二次元画像データに基づく送信設定データを取得し、Ｅメール送信部４６の送信設定を変更する（ステップＳ１０８）。
【０１４８】
スキャナー６０は、文書Ｚを１ページ目から順次読み取る。文書データ生成部６４は、文書データを生成し、図２の記憶部３８に記憶する（ステップＳ１１０）。
【０１４９】
制御部３２は、文書Ｚの読み取りが終了したか判断する（ステップＳ１１２）。Ｎｏの場合、ステップＳ１１０に戻り、文書Ｚの読み取りを継続する。Ｙｅｓの場合、ステップＳ１１４に進む。
【０１５０】
Ｅメール送信部４６は、文書データを記憶部３８から読み出し、Ｅメールに文書データを添付する。Ｅメール送信部４６は、二次元画像データから解析された送信先のＥメールアドレスにＥメールを送信する（ステップＳ１１４）。
【０１５１】
制御部３２は、次の文書が存在するか判断する（ステップＳ１１６）。Ｎｏの場合、読み取り作業を終了する。Ｙｅｓの場合、Ｂに進み、図１２のステップＳ８８に進み、次の文書の読み取りを継続する。
【０１５２】
以上のように、ユーザーは、文書を読み取る際に、これらの情報が化体した二次元画像４８が印字された用紙４７を表紙として読み取らせることで、スタートボタンを押すだけで、読取設定、読取処理、送信設定、送信処理の全ての処理が完結できる。このため、従来のように、スタートボタンの押下に加えて、読み取り解像度の情報や、Ｅメールアドレスを入力する必要がない。
【０１５３】
また、複数の文書を読み取る際にも、それぞれの文書に対応する二次元画像４８が印字された表紙を添付して読み取らせることで、ユーザーが文書ごとに読取設定、送信設定を変更する必要がなくなる。このため、時間の短縮が図れ、複合機を占有する時間も短縮される。また、操作ボタン１８の誤操作による誤送信を減少させることができる。
【０１５４】
以上、図面（図１〜図１４）を参照しながら、本発明の実施形態を説明した。但し、本発明は、上記の実施形態に限られるものではなく、その要旨を逸脱しない範囲で、種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態に亘る構成要素を適宜組み合わせてもよい。図面は、理解しやすくするために、それぞれの構成要素を主体に模式的に示しており、図面作成の都合上から実際とは異なる場合がある。また、上記の実施形態で示す各構成要素は一例であって、特に限定されるものではなく、本発明の構成から実質的に逸脱しない範囲で種々の変更が可能である。
【産業上の利用可能性】
【０１５５】
本発明は、画像処理システム及び画像読取装置の分野に利用可能である。
【符号の説明】
【０１５６】
１０          画像処理システム
１２          ＡＤＦ
１４          原稿給紙台
１６          コントロールパネル
１８          操作ボタン
２０          ディスプレー
２２          本体
２４          給紙トレイ
２６          排紙トレイ
３０          サーバー
３２          制御部
３４          情報処理装置
３６          インターフェイス（Ｉ／Ｆ）部
３８          記憶部
４０          印字装置
４２          送受信部
４４          画像読取装置
４６          Ｅメール送信部
４７          用紙
４８          二次元画像
４９          設定項目
５０          読取部
５２          解析部
５４          設定部
６０          スキャナー
６２          二次元画像データ生成部
６４          文書データ生成部
７０          テーブル
【図１】
2020048070.tif 000003
【図２】
2020048070.tif 000004
【図３】
2020048070.tif 000005
【図４】
2020048070.tif 000006
【図５】
2020048070.tif 000007
【図６】
2020048070.tif 000008
【図７】
2020048070.tif 000009
【図８】
2020048070.tif 000010
【図９】
2020048070.tif 000011
【図１０】
2020048070.tif 000012
【図１１】
2020048070.tif 000013
【図１２】
2020048070.tif 000014
【図１３】
2020048070.tif 000015
【図１４】
2020048070.tif 000016